【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
最適化されたマッププレゼンテーションのための方法であって、
モバイルデバイスにおいて、ロケーションの第１の建物の階層に関連付けられた配置データの第１のセットを受信することと、
前記モバイルデバイスにおいて、前記ロケーションの第２の建物の階層に関連付けられた配置データの第２のセットを受信することと、
前記モバイルデバイスにおいて、視野パラメータのセット、配置データの前記第１のセット、および配置データの前記第２のセットを使用して、前記ロケーションの前記第１の建物の階層および前記ロケーションの前記第２の建物の階層の表現を備える画像のレンダリングの際に、前記ロケーションの前記第１の建物の階層および前記ロケーションの前記第２の建物の階層の前記表現の間のオーバーラップを決定することと、
前記モバイルデバイスにおいて、前記画像の前記レンダリングの際に、前記ロケーションの前記第１の建物の階層および前記ロケーションの前記第２の建物の階層の前記表現の間のオーバーラップを低減させるために、前記視野パラメータのセットを調整することと、
を備える、方法。
【請求項２】
配置データの前記第１のセットおよび配置データの第２のセットは、マップデータを備える、請求項１に記載の方法。
【請求項３】
前記視野パラメータのセットを調整することは、
視認位置と前記ロケーションの前記建物の階層との間の距離を変更すること、
前記視認位置に関連付けられたチルトを変更すること、
前記ロケーションの前記第１と第２の建物の階層の間の距離を変更すること、または
前記視認位置の配置を変更すること、あるいは
これらの任意の組み合わせ
のうちの少なくとも１つを備える、請求項１に記載の方法。
【請求項４】
前記ロケーションの前記第１の建物の階層と前記ロケーションの前記第２の建物の階層との間のオーバーラップを決定することは、前記ロケーションの前記第１の建物の階層および前記ロケーションの前記第２の建物の階層の前記画像をレンダリングすることと、（ａ）前記ロケーションの前記第１の建物の階層と前記ロケーションの前記第２の建物の階層との間のオーバーラップするピクセル対（ｂ）ピクセルの総数の比率が閾値を超えると決定することとを備える、請求項１に記載の方法。
【請求項５】
前記ロケーションの前記第１の建物の階層と前記ロケーションの前記第２の建物の階層との間の前記オーバーラップを決定することは、視認位置の配置における変更に応答して行われる、請求項１に記載の方法。
【請求項６】
前記視認位置の前記配置は、
ユーザから受信された入力、
前記ユーザのコンテキスト、または
前記ユーザから受信された検索クエリ、あるいは
上記の任意の組み合わせ
のうちの少なくとも１つによって変更される、請求項５に記載の方法。
【請求項７】
前記ロケーションの前記第１の建物の階層および前記ロケーションの前記第２の建物の階層に関連付けられた、後ろ側に面している境界を決定することと、
前記ロケーションの前記第１の建物の階層および前記ロケーションの前記第２の建物の階層の前記後ろ側に面している境界の間の領域をシェーディングすることと
をさらに備える、請求項１に記載の方法。
【請求項８】
マッププレゼンテーションのための最適化された機能を用いたモバイルデバイスであって、前記デバイスは、
前記モバイルデバイスにおいて、ロケーションの第１の建物の階層に関連付けられた配置データの第１のセットを受信するための手段と、
前記モバイルデバイスにおいて、前記ロケーションの第２の建物の階層に関連付けられた配置データの第２のセットを受信するための手段と、
前記モバイルデバイスにおいて、視野パラメータのセット、配置データの前記第１のセット、および配置データの前記第２のセットを使用して、前記ロケーションの前記第１の建物の階層および前記ロケーションの前記第２の建物の階層の表現を備える画像のレンダリングの際に、前記ロケーションの前記第１の建物の階層および前記ロケーションの前記第２の建物の階層の前記表現の間のオーバーラップを決定するための手段と、
前記モバイルデバイスにおいて、前記画像の前記レンダリングの際に、前記ロケーションの前記第１の建物の階層および前記ロケーションの前記第２の建物の階層の前記表現の間のオーバーラップを低減させるために、前記視野パラメータのセットを調整するための手段と、
を備える、デバイス。
【請求項９】
前記配置データは、マップデータを備える、請求項８に記載のデバイス。
【請求項１０】
前記視野パラメータのセットを調整するための手段は、視認位置と前記ロケーションの前記建物の階層との間の距離を変更することと、前記視認位置に関連付けられたチルトを変更することと、前記ロケーションの前記第１と第２の建物の階層の間の距離を変更することと、前記視認位置の配置を変更することとを行うための手段を備える、請求項８に記載のデバイス。
【請求項１１】
前記ロケーションの前記第１の建物の階層および前記ロケーションの前記第２の建物の階層に関連付けられた、後ろ側に面している境界を決定するための手段と、
前記ロケーションの前記第１の建物の階層および前記ロケーションの前記第２の建物の階層の前記後ろ側に面している境界の間の領域をシェーディングするための手段と
をさらに備える、請求項８に記載のデバイス。
【請求項１２】
マッププレゼンテーションのためのコンピュータ可読命令を備える、非一時的コンピュータ可読媒体であって、前記コンピュータ可読命令は、プロセッサによって実行されると、モバイルデバイスに、マップの最適化された表示のための方法を行わせ、前記方法は、
前記モバイルデバイスにおいて、ロケーションの第１の建物の階層に関連付けられた配置データの第１のセットを受信することと、
前記モバイルデバイスにおいて、前記ロケーションの第２の建物の階層に関連付けられた配置データの第２のセットを受信することと、
前記モバイルデバイスにおいて、視野パラメータのセット、配置データの前記第１のセット、および配置データの前記第２のセットを使用して、前記ロケーションの前記第１の建物の階層および前記ロケーションの前記第２の建物の階層の表現を備える画像のレンダリングの際に、前記ロケーションの前記第１の建物の階層および前記ロケーションの前記第２の建物の階層の前記表現の間のオーバーラップを決定することと、
前記モバイルデバイスにおいて、前記画像の前記レンダリングの際に、前記ロケーションの前記第１の建物の階層および前記ロケーションの前記第２の建物の階層の前記表現の間のオーバーラップを低減させるために、前記視野パラメータのセットを調整することと、
を備える、非一時的コンピュータ可読媒体。
【請求項１３】
前記視野パラメータのセットを調整することは、視認位置と前記ロケーションの前記建物の階層との間の距離を変更することと、前記視認位置に関連付けられたチルトを変更することと、前記ロケーションの前記第１と第２の建物の階層の間の距離を変更することと、前記視認位置の配置を変更することとを備える、請求項１２に記載の非一時的コンピュータ可読媒体。
【請求項１４】
前記ロケーションの前記第１の建物の階層と前記ロケーションの前記第２の建物の階層との間のオーバーラップを決定することは、前記ロケーションの前記第１の建物の階層および前記ロケーションの前記第２の建物の階層の画像をレンダリングすることと、前記ロケーションの前記第１の建物の階層と前記ロケーションの前記第２の建物の階層との間のオーバーラップするピクセル対ピクセルの総数の比率が閾値を超えると決定することとを備える、請求項１２に記載の非一時的コンピュータ可読媒体。
【請求項１５】
前記ロケーションの前記第１の建物の階層と前記ロケーションの前記第２の建物の階層との間の前記オーバーラップを決定することは、視認位置の配置における変更に応答して行われ、
前記視認位置の前記配置は、
ユーザによって受信された入力、
前記ユーザのコンテキスト、または
前記ユーザから受信された検索クエリ、あるいは
上記の任意の組み合わせ
のうちの１つ以上によって変更される、請求項１２に記載の非一時的コンピュータ可読媒体。